(57)【要約】【課題】会議の記録を容易に検索・閲覧することができる電子機器を提供する。【解決手段】プロジェクタ部３８により記憶部３２等に記憶されたデータに対応する映像の投射面に向けて投射を開始した後、シャッタボタン１８が押されたとき、投射面を含む領域の動画を撮像素子３０で撮像し、撮像素子３０で取得された動画データと記憶部３２等に記憶された投射データとを関連づける。【選択図】図２
2011254186.tif 000002
【特許請求の範囲】
【請求項１】
記憶手段に記憶されたデータに対応する映像を投射面に向けて投射する投射手段と、
前記投射面上の映像を含む領域の動画を撮像し、その動画データを取得する撮像手段と、
前記映像の投射時、前記撮像手段に前記投射面上の映像を含む領域の動画を撮像させる制御手段と
を備えていることを特徴とする電子機器。
【請求項２】
音声データを取得する音声データ取得手段を備え、
前記制御手段は、前記映像の投射時、前記音声データ取得手段に周囲の音声を取得させることを特徴とする請求項１記載の電子機器。
【請求項３】
前記制御手段は、前記撮像手段に低速度撮影又はインターバル撮影させることを特徴とする請求項１又は２記載の電子機器。
【請求項４】
前記投射面上の前記映像を他の映像に切り替える切替手段を備え、
前記記憶手段は、前記映像の投射時、前記切替手段による映像切替の操作に応じて前記データの名称と前記撮像手段による前記動画の撮像開始からの経過時間とを記憶し、
前記制御手段は、前記撮像手段による前記動画データの取得が停止したとき、前記撮像手段で取得された動画データを前記時間に基づいて前記映像が投射されていた時間ごとに分割し、その分割された個々の動画データと前記データ中の個々のデータとを相互に関連づけることを特徴とする請求項１〜３のいずれか１項記載の電子機器。
【請求項５】
請求項１〜４のいずれか１項記載の電子機器は、デジタルカメラである。
【請求項６】
請求項１〜４のいずれか１項記載の電子機器は、携帯電話である。
【発明の詳細な説明】
【技術分野】
【０００１】
この発明は電子機器に関する。
【背景技術】
【０００２】
従来、ホワイトボードにプロジェクタを用いて資料の映像を投射し、投射された映像の周囲に板書しながら会議を行なうことがある。会議の記録は通常書記の聞書により行われる。この聞書以外の記録手段として、印字機能付きの電子白板、ビデオカメラ又はスチルカメラ（下記公報参照）、テープレコーダ等が使用される。
【先行技術文献】
【特許文献】
【０００３】
【特許文献１】特開２００５−２５０３９２号公報
【発明の概要】
【発明が解決しようとする課題】
【０００４】
しかし、会議の記録にプロジェクタ以外に例えばビデオカメラ等の専用の機器を用いて記録した場合、長時間に亘る会議を記録した動画データの中から所望の会議の記録に対応する動画データを検索することは容易でない。
【０００５】
この発明はこのような事情に鑑みてなされたもので、その課題は会議の記録を容易に検索・閲覧することができる電子機器を提供することである。
【課題を解決するための手段】
【０００６】
上記課題を解決するため請求項１記載の発明は、記憶手段に記憶されたデータに対応する映像を投射面に向けて投射する投射手段と、前記投射面上の映像を含む領域の動画を撮像し、その動画データを取得する撮像手段と、前記映像の投射時、前記撮像手段に前記投射面上の映像を含む領域の動画を撮像させる制御手段とを備えていることを特徴とする。
【０００７】
請求項２に記載の発明は、請求項１記載の電子機器において、音声データを取得する音声データ取得手段を備え、前記制御手段は、前記映像の投射時、前記音声データ取得手段に周囲の音声を取得させることを特徴とする。
【０００８】
請求項３に記載の発明は、請求項１又は２記載の電子機器において、前記制御手段は、前記撮像手段に低速度撮影又はインターバル撮影させることを特徴とする。
【０００９】
請求項４に記載の発明は、請求項１〜３のいずれか１項記載の電子機器において、前記投射面上の前記映像を他の映像に切り替える切替手段を備え、前記記憶手段は、前記映像の投射時、前記切替手段による映像切替の操作に応じて前記データの名称と前記撮像手段による前記動画の撮像開始からの経過時間とを記憶し、前記制御手段は、前記撮像手段による前記動画データの取得が停止したとき、前記撮像手段で取得された動画データを前記時間に基づいて前記映像が投射されていた時間ごとに分割し、その分割された個々の動画データと前記データ中の個々のデータとを相互に関連づけることを特徴とする。
【００１０】
請求項５に記載の発明は、請求項１〜４のいずれか１項記載の電子機器は、デジタルカメラである。
【００１１】
請求項６に記載の発明は、請求項１〜４のいずれか１項記載の電子機器は、携帯電話である。
【発明の効果】
【００１２】
この発明によれば、会議の記録を容易に検索・閲覧することができる。
【図面の簡単な説明】
【００１３】
【図１】図１はこの発明の一実施形態に係るデジタルカメラを示す斜視図である。
【図２】図２はこの発明の一実施形態に係るデジタルカメラのブロック図である。
【図３】図３はこの発明の一実施形態に係るデジタルカメラの会議記録機能を説明するフローチャートである。
【発明を実施するための形態】
【００１４】
以下、この発明の実施の形態を図面に基づいて説明する。
【００１５】
図１はこの発明の一実施形態に係るデジタルカメラ（電子機器）２を示す斜視図である。
【００１６】
デジタルカメラ２は筐体４を備える。筐体４の前面には、被写体光を入射させる撮像窓１０と、投影光が出る投影窓１２と、被写体に照射する光が出るフラッシュ窓１４とが設けられている。また、筐体４の上面には、電源スイッチ１６と、撮影指示を行うシャッタボタン１８と、被写体の撮像を行う撮像モードと映像（例えば会議に用いる資料の映像）の投影を行う投影モードとを切り換えるＰＪボタン２０とが設けられている。シャッタボタン１８をハーフストローク押したときに被写体像の焦点を自動的に調節するＡＦ処理や被写体像の光量を自動的に調節するＡＥ処理が行われ、フルストローク押したときに被写体の撮影が行われる。
【００１７】
図２はこの発明の一実施形態に係るデジタルカメラのブロック図である。
【００１８】
デジタルカメラ２はＣＰＵ２５を備えている。ＣＰＵ２５には、電源スイッチ１６（図１参照）、シャッタボタン１８（図１参照）、ＰＪボタン２０（図１参照）、メニュー画面の表示を指示するメニューボタン（図示せず）、会議記録機能をオンに設定するボタン（図示せず）、ＬＣＤ表示部２２に表示されたメニュー画面の項目の選択等を行う十字キー（図示せず）等を備える操作部２６が接続されている。操作部２６の他に、ＣＰＵ２５には、ＬＣＤ表示部２２及びテレビジョン受信機（外部出力手段）４０の表示を制御する表示制御部２８と、撮影レンズ（図示せず）を介して被写体を撮像して撮像信号を生成するＣＭＯＳ、ＣＣＤ等により構成される撮像素子（撮像手段）３０と、撮像素子３０で生成された撮像信号をアナログ/デジタル変換を経て、投射データ（データ）として記憶する記憶部３２及びメモリカード３６と、撮像、投影等に関する設定、制御を行うための制御プログラムを格納するプログラム記憶部３４と、記憶部３２やメモリカード３６に記憶された投射データに対応する映像を例えばホワイトボードの表面等の投射面（図示せず）に投射するプロジェクタ部（投射手段）３８とが接続されている。
【００１９】
メモリカード３６はフラッシュメモリなどの不揮発性メモリによって構成される。
【００２０】
デジタルカメラ２は音声データを取得するマイク（音声データ取得手段）４１を備え、映像の投射時、ＣＰＵ２５の指示に基づいて周囲の音声が取得される。
【００２１】
撮像素子３０は映像の投射時、ＣＰＵ２５の指示に基づいて投射面上の映像を含む領域の動画を撮像し、動画データを取得する。ＬＣＤ表示部２２及びテレビジョン受信機４０の少なくとも一方には撮像素子３０で撮像された画像が表示される。投射面上の映像を含む領域の動画の撮像するとき、ファイルサイズの縮小を図るため、ＣＰＵ２５は撮像素子３０に低速度撮影又はインターバル撮影を行わせる。
【００２２】
十字キー（登録商標）は、上下左右にそれぞれスイッチを配置し、それらを十文字のカバーで覆ったものである。十字の中心には支点があり、カバーがシーソーのように動くことで、上下又は左右のスイッチを同時に押せないようになっている。十字の中心がＯＫボタンになっている。十字キーの左右のスイッチが投射面上の映像を他の映像に切り替える切替手段として機能する。
【００２３】
記憶部３２には映像の投射時、十字キーによる映像切替の操作に応じて投射データの名称と撮像素子３０による動画の撮像開始からの経過時間とが記憶される。
【００２４】
ＣＰＵ２５は、撮像素子３０による動画データの取得が停止したとき、撮像素子３０で取得された動画データを、動画の撮像開始からの経過時間に基づいて映像が投射されていた時間ごとに分割し、分割された個々の動画データと投射データ中の個々の投射データとを相互に関連づける。
【００２５】
次に、図３に示すフローチャートを参照して第１の実施形態に係るデジタルカメラの会議記録機能を説明する。
【００２６】
図３はこの発明の一実施形態に係るデジタルカメラの会議記録機能を説明するフローチャートである。図３においてＳ１〜Ｓ１５は各処理ステップを示す。
【００２７】
まず、再生モードにおいて、会議記録機能をオン（ＯＮ）に設定するボタンが押されたとき、会議記録機能がオンに設定される。会議記録機能がオンに設定されると撮影待機状態（撮影を開始するまでの状態）に移行する。
【００２８】
会議記録機能がオンに設定されると、プロジェクタ部３８による再生モードでの最終データに対応する映像の投射を開始する（Ｓ１）。このとき、フレーミングのため、ＬＣＤ表示部２２にスルー画を表示させる。
【００２９】
この撮影待機状態では、十字キーの左若しくは右のスイッチ又はリモコン（図示せず）を操作して、プロジェクタ部３８によって投射されている投射データの送りや戻し動作を行う。このとき、ユーザが記憶部３２内の投射データの中から１枚目に投射する投射データを選択できるようにするため、撮影は行われない。
【００３０】
次に、シャッタボタン１８がハーフストロークだけ押された（Ｓ１オン）か否かを判定する（Ｓ２）。
【００３１】
シャッタボタン１８がハーフストロークだけ押されていないとき（Ｎ）には、このステップＳ２を繰り返す。
【００３２】
シャッタボタン１８がハーフストロークだけ押されたとき（Ｙ）には、ＡＦ／ＡＥ処理を実行する（Ｓ３）。
【００３３】
その後、シャッタボタン１８がフルストローク押された（Ｓ２オン）か否かを判定する（Ｓ４）。
【００３４】
シャッタボタン１８がフルストローク押されていないとき（Ｎ）には、ステップＳ２へ戻る。
【００３５】
シャッタボタン１８がフルストローク押されたとき（Ｙ）には、撮像素子３０による投射面上の映像を含む領域の動画の撮像を開始する。
【００３６】
このとき、動画データと投射データとの関連づけを行うための管理ファイルを作成し、１番目の投射データを格納したファイルのファイル名（投射ｆｉｌｅ）をスタート（ｓｔａｒｔ）時間００：００：００の項に記録する。なお、管理ファイルは初回だけ作成される。
【００３７】
その後、動画データ及び音声データの記録を開始し、投射監視用の積算タイマ（図示せず）をスタートさせ、記録中状態（記録が開始されている状態）へ移行する（Ｓ５）。
【００３８】
記録中状態で十字キー又はリモコン（図示せず）が操作されたとき、以下のように動作する。
【００３９】
シャッタボタン１８がフルストローク押された（Ｓ２オン）か否かを判定する（Ｓ６）。
【００４０】
シャッタボタン１８がフルストローク押されていないとき（Ｎ）には、投射面上の映像の切り替えの操作が行なわれたか否かが判定される（Ｓ７）。
【００４１】
例えば、ユーザによって十字キーの左若しくは右のスイッチ又はリモコンが操作されたとき（Ｙ）には、管理ファイルに投射データのファイル名と積算タイマの値（撮像が開始されてからの時間）とを管理ファイルに記録する（Ｓ８）。ここで、投射面上に映像が切り替えられていないと判定されたとき（Ｎ）にはステップ６へ戻る。
【００４２】
その後、プロジェクタ部３８による投射面上の映像の切り替えを行う（Ｓ９）。投射面上の映像の切り替え後、ステップＳ６へ戻る。
【００４３】
シャッタボタン１８がフルストローク押されたとき（Ｙ）には、動画データ及び音声データの記録を終了する（Ｓ１０）。このとき、積算タイマを停止し、リセットし、例えばＬＣＤ表示部３２に分割確認画面を表示させる。
【００４４】
次に、管理ファイルがあるか否かを判定する（Ｓ１１）。
【００４５】
管理ファイルがないとき（Ｎ）には、ステップＳ２に戻る。
【００４６】
管理ファイルがあるとき（Ｙ）には、分割記録するか否かをＬＣＤ表示部３２等を見ているユーザに判断させる（Ｓ１２）。このとき、ＬＣＤ表示部３２には例えば「分割記録しますか？」と表示される。
【００４７】
ユーザが分割記録を行わないとする操作をしたとき（Ｎ）には、管理ファイルを消去する（Ｓ１３）。その後、ステップ２へ戻る。
【００４８】
ユーザが分割記録を行うとする操作をしたとき（Ｙ）には、管理ファイルに記録された積算タイマの値と投射データのファイル名とを参照し、動画データを映像が投影されていた時間ごとに分割する（Ｓ１４）。なお、動画データは消去せず、分割した動画データを新たに記録するようにしてもよい。
【００４９】
その後、分割された個々の動画データのメタデータ部に関連する投射データ中の個々の投射データを記録する（Ｓ１５）。また、投射データ中の個々の投射データのメタデータ部に関連する個々の動画データを記録する。
【００５０】
記録した後、ステップ２へ戻る。
【００５１】
なお、再生モードで、メタデータ部に動画データとの関連情報がある投射データを一画像表示したとき、ユーザの操作により投射データに関連する動画のＬＣＤ表示部３２における再生が開始される。動画の再生終了後、投影されていた元の投射データの一画像表示に戻る。
【００５２】
この実施形態によれば、会議中に撮像素子３０で取得された投射面上の映像を含む領域の動画データを、動画データの撮像開始からの経過時間に基づいて分割し、その分割された個々の動画データと投射データ中の個々の投射データとを相互に関連づけるようにしたので、会議の記録を容易に検索することができる。また、動画データを記録している間にホワイトボード上の映像の周囲に書かれた板書が消されたり、上書きされたり、修正されたりしても、動画データとして会議の開始から終了までのすべてが記録されているので、もとの板書を見ることができる。その結果、長時間にわたる会議であっても、全ての動画を見返すことなく、効率よく議事録の作成ができる。
【００５３】
また、この実施形態では、電子機器としてデジタルカメラを使用したが、携帯電話を電子機器として使用してもよい。
【００５４】
なお、上記実施形態のように動画データを分割せず、動画データを分割する位置にマーカを付け、このマーカに基づいて動画データを切り替えるようにしてもよい。
【符号の説明】
【００５５】
２：デジタルカメラ（電子機器）、２５：ＣＰＵ（制御手段）、３０：撮像素子（撮像手段）、３２：記憶部（記憶手段）、３８：プロジェクタ部（投射手段）、４０：テレビ（外部出力手段）、４１：マイク（音声取得手段）。
【図１】
2011254186.tif 000003
【図２】
2011254186.tif 000004
【図３】
2011254186.tif 000005